(57)【要約】      （修正有）【課題】眼鏡を収納並びに縦置きすることができると共に、持ち運び可能な眼鏡ケースを提供する。【解決手段】眼鏡ケース本体１０と、眼鏡ケース本体１０を開閉自在にカバーする蓋体２０とを備え、眼鏡ケース本体１０は、入れ子式に嵌合してスライド伸縮自在な複数の筒体１２ａ、１２ｂ、１２ｃを備えてなる。眼鏡ケース本体１０には、当該眼鏡ケース本体１０の縮みを所定高さで規制する規制部材１２ｂ３が設けられているから、眼鏡ケース本体１０が所定高さまでしか縮まないこととなり、もって、縦置きした際、眼鏡Ｇが転倒してしまう事態を低減することができる。【選択図】図２
2016140475.tif 000002
【特許請求の範囲】
【請求項１】
眼鏡ケース本体と、
前記眼鏡ケース本体を開閉自在にカバーする蓋体とを備え、
前記眼鏡ケース本体は、入れ子式に嵌合してスライド伸縮自在な複数の筒体を備えてなる眼鏡ケース。
【請求項２】
前記眼鏡ケース本体には、当該眼鏡ケース本体の縮みを所定高さで規制する規制部材が設けられてなる請求項１に記載の眼鏡ケース。
【発明の詳細な説明】
【技術分野】
【０００１】
本発明は、眼鏡を収納並びに縦置きすることができると共に、持ち運び可能な眼鏡ケースに関する。
【背景技術】
【０００２】
従来の眼鏡ケースとして、例えば、特許文献１に記載のようなものが知られている。この特許文献１に記載の眼鏡ケースは、合成樹脂の成形による収納部と蓋体に外装シートを貼付け、そして、この収納部内に眼鏡が収納されてなり、もって、眼鏡を外部衝撃から守りつつ持ち運びすることが可能となるものである。
【先行技術文献】
【特許文献】
【０００３】
【特許文献１】実用新案登録第３００１２２６号公報
【発明の概要】
【発明が解決しようとする課題】
【０００４】
しかしながら、昨今、かけている眼鏡を外し、眼鏡ケース内に眼鏡を収納し持ち運ぶという人が減ってきており、従来の眼鏡ケースの需要が減りつつある。その一方で、従来の眼鏡ケースの代わりに小物入れ等の容器に眼鏡を縦置きするという人が増えてきている。しかしながら、このような小物入れ等の容器は、持ち運ばず家に置いておくことを前提としているものであるため、持ち運びに適さないという問題があった。
【０００５】
そこで、本発明は、上記問題に鑑み、眼鏡を収納並びに縦置きすることができると共に、持ち運び可能な眼鏡ケースを提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明に係る眼鏡ケースによれば、眼鏡ケース本体（１０）と、
前記眼鏡ケース本体（１０）を開閉自在にカバーする蓋体（２０）とを備え、
前記眼鏡ケース本体（１０）は、入れ子式に嵌合してスライド伸縮自在な複数の筒体（１２）を備えてなることを特徴としている。
【０００８】
また、請求項２の発明に係る眼鏡ケースによれば、上記請求項１に記載の眼鏡ケースにおいて、前記眼鏡ケース本体（１０）には、当該眼鏡ケース本体（１０）の縮みを所定高さで規制する規制部材（１２ｂ３）が設けられてなることを特徴としている。
【発明の効果】
【０００９】
次に、本発明の効果について、図面の参照符号を付して説明する。なお、括弧内は、後述する実施形態の参照符号を付したものであるが、本発明はこれに限定されるものではない。
【００１０】
請求項１の発明によれば、眼鏡（Ｇ）を収納することができる眼鏡ケース本体（１０）を蓋体（２０）によって開閉自在にカバーすることができることから、従来の眼鏡ケースと同様、眼鏡（Ｇ）を外部衝撃から守りつつ持ち運びすることが可能となる。また、本発明によれば、眼鏡ケース本体（１０）は、入れ子式に嵌合してスライド伸縮自在となっている複数の筒体（１２）で構成されているから、眼鏡ケース本体（１０）を縮ませ、眼鏡ケース本体（１０）内の空間（Ｓ）を蓋体（２０）によって開放させれば、眼鏡（Ｇ）を縦置きすることができることとなる。
【００１１】
しかして、本発明によれば、眼鏡ケースに眼鏡を収納並びに縦置きすることができると共に、その眼鏡ケースを持ち運びすることが可能となる。
【００１２】
また、請求項２の発明によれば、眼鏡ケース本体（１０）には、当該眼鏡ケース本体（１０）の縮みを所定高さで規制する規制部材（１２ｂ３）が設けられているから、眼鏡ケース本体（１０）が所定高さまでしか縮まないこととなり、もって、縦置きした際、眼鏡（Ｇ）が転倒してしまう事態を低減することができる。
【図面の簡単な説明】
【００１３】
【図１】本発明の一実施形態に係る眼鏡ケースの斜視図を示し、（ａ）は眼鏡ケース本体が蓋体によって閉止されている状態を示し、（ｂ）は眼鏡ケース本体が蓋体によって開放されている状態を示す図である。
【図２】同実施形態に係る眼鏡ケースが最も縮まっている状態の斜視図を示し、（ａ）は眼鏡ケース本体が蓋体によって閉止されている状態を示し、（ｂ）は眼鏡ケース本体が蓋体によって開放されている状態を示す図である。
【図３】同実施形態に係る眼鏡ケースの縦断面図を示し、（ａ）は眼鏡ケース本体が蓋体によって閉止されている状態を示し、（ｂ）は眼鏡ケース本体が蓋体によって開放されている状態を示す図である。
【図４】同実施形態に係る眼鏡ケースの縦断面図を示し、（ａ）は眼鏡ケース本体の中段蓋体が下方へ移動した状態を示し、（ｂ）は眼鏡ケース本体の上段蓋体が下方へ移動した状態を示し、（ｃ）は（ｂ）の状態で蓋体によって眼鏡ケース本体が開放されている状態を示す図である。
【発明を実施するための形態】
【００１４】
以下、本発明に係る眼鏡ケースの一実施形態を、図１〜図４を参照して具体的に説明する。なお、以下の説明において、上下左右の方向を示す場合は、図示正面から見た場合の上下左右をいうものとする。
【００１５】
本実施形態に係る眼鏡ケース１は、図１に示すように、眼鏡ケース本体１０と、この眼鏡ケース本体１０を開閉自在にカバーする蓋体２０とを備えてなる。
【００１６】
眼鏡ケース本体１０は、弾性変形可能な軟質の合成樹脂等からなり、図１〜図２に示すように、円形状の厚板からなる基台１１と、複数の筒体１２とで構成されている。この複数の筒体１２は、図１，図３に示すように、下段に位置する円筒状の下段筒体１２ａと、中段に位置する中段筒体１２ｂと、上段に位置する上段筒体１２ｃとで構成されてなり、入れ子式に嵌合してスライド伸縮自在となっている。より詳しく説明すると、下段筒体１２ａは、図１，図３に示すように、下端部１２ａ１が基台１１の表面部１１ａに接着剤等によって固着されており、図３に示すように、上端縁部には、周方向に沿って外向き突縁部１２ａ２が一体的に形成されている。そして、中段筒体１２ｂは、図３に示すように、上記下段筒体１２ａの径よりも若干径大に形成されており、下端縁部には、周方向に沿って内向き突縁部１２ｂ１が一体的に形成され、上端縁部には、周方向に沿って外向き突縁部１２ｂ２が一体的に形成されている。さらに、上段筒体１２ｃは、図３に示すように、上記中段筒体１２ｂの径よりも若干径大に形成されており、下端縁部には、周方向に沿って内向き突縁部１２ｃ１が一体的に形成されている。
【００１７】
かくして、このように形成される複数の筒体１２は、図１及び図３に示すように、下段筒体１２ａと中段筒体１２ｂとが嵌合し、中段筒体１２ｂが下段筒体１２ａをスライド自在に上下動できるようになっており、さらに、中段筒体１２ｂと上段筒体１２ｃとが嵌合し、上段筒体１２ｃが中段筒体１２ｂをスライド自在に上下動できるようになっている。より詳しく説明すると、中段筒体１２ｂが、図３（ａ）に示すように、下方（矢印Ｐ１方向）に移動すると、図４（ａ）に示すように、中段筒体１２ｂの内向き突縁部１２ｂ１が基台１１の表面部１１ａに接触し、下方への移動が規制されることとなる。一方、中段筒体１２ｂが、上方（図３（ａ）に示す矢印Ｐ１方向とは逆方向）に移動すると、図３に示すように、中段筒体１２ｂの内向き突縁部１２ｂ１が、下段筒体１２ａの外向き突縁部１２ａ２と係合し、上方への移動が規制されることとなる。これにより、中段筒体１２ｂは、下段筒体１２ａより抜け出ることがないように、当該下段筒体１２ａと嵌合されることとなる。
【００１８】
一方、上段筒体１２ｃが、図４（ａ）に示すように、下方（矢印Ｐ２方向）に移動すると、図４（ｂ）に示すように、上段筒体１２ｃの内向き突縁部１２ｃ１が、中段筒体１２ｂの外周略中間位置に設けられている規制部材１２ｂ３に接触し、下方への移動が規制されることとなる。この規制部材１２ｂ３は、スポンジ等で形成され、図１及び図２に示すように、厚板矩形状に形成され、中段筒体１２ｂの外周略中間位置に当該中段筒体１２ｂの外周に沿うように湾曲状に形成されて設けられている。そして、このように形成される規制部材１２ｂ３は、図１及び図２に示すように、中段筒体１２ｂの外周略中間位置に一対設けられている。これにより、図４（ｂ）に示すように、上段筒体１２ｃの内向き突縁部１２ｃ１が、規制部材１２ｂ３に接触し、上段筒体１２ｃがそれ以上下方へ移動できないようになっている。
【００１９】
他方、上段筒体１２ｃが、上方（図４（ａ）に示す矢印Ｐ２方向とは逆方向）に移動すると、図３，図４（ａ）に示すように、上段筒体１２ｃの内向き突縁部１２ｃ１が、中段筒体１２ｂの外向き突縁部１２ｂ２と係合し、上方への移動が規制されることとなる。これにより、上段筒体１２ｃは、中段筒体１２ｂより抜け出ることがないように、当該上段筒体１２ｃと嵌合されることとなる。
【００２０】
蓋体２０は、弾性変形可能な軟質の合成樹脂等からなり、図１〜図４に示すように、固定蓋体２１と可動蓋体２２とで構成されている。固定蓋体２１は、図１〜図４（特に、図３及び図４）に示すように、上端縁部２１ａが右下がり傾斜状となっている円筒状に形成され、上段筒体１２ｃよりも若干径大に形成されている。そしてこの固定蓋体２１が上段筒体１２ｃに嵌合し、固定蓋体２１の内周壁部と上段筒体１２ｃの外周壁部とが接着剤等で固着され固定されている。これにより、固定蓋体２１が上段筒体１２ｃに嵌合された位置で固定されることとなるから、上段筒体１２ｃが、図４（ａ）に示すように、下方（矢印Ｐ２方向）に移動すれば、それに合せて、固定蓋体２１も下方へ移動することとなり、上方（図４（ａ）に示す矢印Ｐ２方向とは逆方向）へ移動すれば、それに合せて、固定蓋体２１も上方へ移動することとなる。
【００２１】
また、固定蓋体２１には、図１〜図４に示すように、押しボタン式の係合部材２３が右側端部２１ｂに設けられている。この係合部材２３は、図３及び図４に示すように、ボタン部２３ａと、フック部２３ｂとで構成されており、ボタン部２３ａは、図１〜図４に示すように、厚板楕円状に形成されており、図３及び図４に示すように、一部が外部に突出されるように、係合部材２３の右側端部２１ｂに嵌め込まれて設けられている。そして、フック部２３ｂは、図３及び図４に示すように、ボタン部２３ａと一体的に設けられており、鉤部２３ｂ１が、外向きに、固定蓋体２１の右側端部２１ｂ側に位置する上端縁部２１ａの最下点（右下がり傾斜の最下点）よりも突出するように上段筒体１２ｃの内周壁内に沿うように立設されている。
【００２２】
一方、可動蓋体２２は、図１〜図４（特に、図３及び図４）に示すように、下端縁部２２ａが右下がり傾斜状となり、下方側（下端縁部２２ａ側）が開放されている円柱状に形成されている。そして、可動蓋体２２の左側端部２２ｂは、図３及び図４に示すように、ヒンジ２４を介して、固定蓋体２１の左側端部２１ｃ側に連結され、可動蓋体２２の右側端部２２ｃには、下端部に内向きに突出している鉤部２２ｄが一体的に設けられている。
【００２３】
かくして、このように構成される固定蓋体２１と可動蓋体２２とは、ヒンジ２４を介して連結され、そのヒンジ２４を基軸として、可動蓋体２２が回動（図３（ａ）に示す矢印Ｐ４方向、図３（ｂ）に示す矢印Ｐ５方向参照）できるようになっている。そして、図３（ａ）に示すように、固定蓋体２１に設けられている係合部材２３の鉤部２３ｂ１と可動蓋体２２の鉤部２２ｄとが係合することで、固定蓋体２１の上端縁部２１ａと可動蓋体２２の下端縁部２２ａとが密着することとなり、もって、眼鏡ケース本体１０内の空間Ｓが可動蓋体２２によって密閉されることとなる。一方、可動蓋体２２によって眼鏡ケース本体１０内を開放するにあたっては、図３（ａ）に示す矢印Ｐ３方向に係合部材２３のボタン部２３ａを押圧すれば、その押圧によって、上段筒体１２ｃが弾性変形し、もって、固定蓋体２１に設けられている係合部材２３の鉤部２３ｂ１と可動蓋体２２の鉤部２２ｄとの係合が解放されることとなる。これにより、図３（ｂ）に示すように、ヒンジ２４を基軸として、可動蓋体２２が回動し、もって、眼鏡ケース本体１０内の空間Ｓが開放されることとなる。なお、係合部材２３のボタン部２３ａの押圧を停止すれば、上段筒体１２ｃの元の形状に戻ろうとする弾発力によって、係合部材２３は元の位置に戻ることとなる。
【００２４】
ここで、上記のように構成される眼鏡ケース１の使用例を説明する。
【００２５】
まず、眼鏡Ｇを眼鏡ケース１に収納するにあたっては、眼鏡ケース１の使用者が、図３（ａ）に示す矢印Ｐ３方向に、係合部材２３のボタン部２３ａを押圧する。これにより、上段筒体１２ｃが弾性変形し、固定蓋体２１に設けられている係合部材２３の鉤部２３ｂ１と可動蓋体２２の鉤部２２ｄとの係合が解放され、図３（ａ）に示す矢印Ｐ４方向に、ヒンジ２４を基軸として、可動蓋体２２が回動する。しかして、図３（ｂ）に示すように、眼鏡ケース本体１０内の空間Ｓが開放される。このように眼鏡ケース本体１０内の空間Ｓが開放されると、図１（ｂ）及び図３（ｂ）に示すように、眼鏡ケース本体１０内の空間Ｓ内に眼鏡Ｇを収納することができることとなる。そして、眼鏡ケース本体１０内の空間Ｓ内に眼鏡Ｇを収納した後、固定蓋体２１に設けられている係合部材２３の鉤部２３ｂ１と可動蓋体２２の鉤部２２ｄとを係合させるように、図３（ｂ）（図１（ｂ）も参照）に示す矢印Ｐ５方向に、ヒンジ２４を基軸として、可動蓋体２２を回動させれば、固定蓋体２１に設けられている係合部材２３の鉤部２３ｂ１と可動蓋体２２の鉤部２２ｄとが係合し、もって、図３（ａ）（図１（ａ）も参照）に示すように、固定蓋体２１の上端縁部２１ａと可動蓋体２２の下端縁部２２ａとが密着することとなる。これにより、眼鏡ケース本体１０内の空間Ｓが可動蓋体２２によって密閉されることとなり、もって、眼鏡ケース本体１０を蓋体２０によって閉止できることとなる。それゆえ、眼鏡Ｇを外部衝撃から守りつつ持ち運びすることが可能となる。
【００２６】
次に、眼鏡Ｇを眼鏡ケース１に縦置きするにあたっては、眼鏡ケース１の使用者が、図３（ａ）に示す状態から、中段筒体１２ｂを下方（矢印Ｐ１方向）に移動させると、図４（ａ）に示すように、中段筒体１２ｂの内向き突縁部１２ｂ１が基台１１の表面部１１ａに接触し、下方への移動が規制されることとなる。この際、図３（ａ）に示すように、上段筒体１２ｃの内向き突縁部１２ｃ１が、中段筒体１２ｂの外向き突縁部１２ｂ２と係合しているから、中段筒体１２ｂが下方（矢印Ｐ１方向）に移動すれば、それに合せて中段筒体１２ｂも下方へ移動することとなる。さらに、蓋体２０の固定蓋体２１が上段筒体１２ｃに嵌合し固定されているから、上段筒体１２ｃが下方（矢印Ｐ１方向）に移動すれば、それに合せて蓋体２０も下方へ移動することとなる。これにより、図４（ａ）に示すような状態となる。
【００２７】
次いで、図４（ａ）に示す状態から、上段筒体１２ｃを下方（矢印Ｐ２方向）に移動させると、図４（ｂ）に示すように、上段筒体１２ｃの内向き突縁部１２ｃ１が、中段筒体１２ｂの外周略中間位置に設けられている規制部材１２ｂ３に接触し、下方への移動が規制されることとなる。なお、蓋体２０の固定蓋体２１が上段筒体１２ｃに嵌合し固定されているから、上段筒体１２ｃが下方（矢印Ｐ２方向）に移動すれば、それに合せて蓋体２０も下方へ移動することとなる。これにより、図４（ｂ）（図２（ａ）も参照）に示すような状態となる。
【００２８】
かくして、図４（ｂ）（図２（ａ）も参照）に示すように眼鏡ケース本体１０がこれ以上縮まない状態になった後、図４（ｂ）に示す矢印Ｐ３方向に、係合部材２３のボタン部２３ａを押圧すれば、上段筒体１２ｃが弾性変形し、固定蓋体２１に設けられている係合部材２３の鉤部２３ｂ１と可動蓋体２２の鉤部２２ｄとの係合が解放され、図４（ｂ）に示す矢印Ｐ４方向に、ヒンジ２４を基軸として、可動蓋体２２が回動する。これにより、図４（ｃ）に示すように、眼鏡ケース本体１０内の空間Ｓが開放される。しかして、このように眼鏡ケース本体１０内の空間Ｓが開放されると、図２（ｂ）及び図４（ｃ）に示すように、眼鏡ケース本体１０内の空間Ｓ内に眼鏡Ｇを入れれば、眼鏡Ｇを縦置きすることができることとなる。
【００２９】
ところで、中段筒体１２ｂの外周略中間位置に規制部材１２ｂ３を設けているのは、以下の理由によるものである。すなわち、規制部材１２ｂ３を設けていなければ、上段筒体１２ｃの内向き突縁部１２ｃ１が、基台１１の表面部１１ａに接触するまで、下方へ移動できることとなる。そうすると、眼鏡Ｇの高さに対して、眼鏡ケース本体１０の高さがかなり低くなる位置まで縮む可能性があり、もって、眼鏡Ｇを縦置きした際、眼鏡Ｇが転倒してしまう危険性がある。そこで、このような事態を低減させるべく、中段筒体１２ｂの外周略中間位置に規制部材１２ｂ３を設け、眼鏡Ｇを縦置きした際、眼鏡Ｇが転倒しないように支えられる程度の高さ位置までしか眼鏡ケース本体１０が縮まないようにしている。それゆえ、本実施形態によれば、中段筒体１２ｂの外周略中間位置に規制部材１２ｂ３を設けることにより、眼鏡ケース本体１０が所定高さ位置までしか縮まないこととなり、もって、縦置きした際、眼鏡Ｇが転倒してしまう事態を低減することができる。なお、本実施形態においては、規制部材１２ｂ３を中段筒体１２ｂの外周略中間位置に設ける例を示したが、それに限らず、眼鏡Ｇが転倒してしまう事態を低減させることができれば、眼鏡ケース本体１０のどの位置に設けても良い。また、中段筒体１２ｂの外周略中間位置に規制部材１２ｂ３を一対設ける例を示したが、それに限らず、３つ以上設けても良く、さらには、一つだけ設けても良い。またさらには、規制部材１２ｂ３の形状もどのような形状でも良く、特に限定はされない。
【００３０】
一方、図２（ｂ）及び図４（ｃ）に示すように、眼鏡ケース本体１０内の空間Ｓ内に眼鏡Ｇを縦置きした後、上段筒体１２ｃを上方（図４（ａ）に示す矢印Ｐ２方向とは逆方向）に移動させると共に、中段筒体１２ｂを上方（図３（ａ）に示す矢印Ｐ１方向とは逆方向）に移動させれば、中段筒体１２ｂの内向き突縁部１２ｂ１が下段筒体１２ａの外向き突縁部１２ａ２と係合し、上段筒体１２ｃの内向き突縁部１２ｃ１が中段筒体１２ｂの外向き突縁部１２ｂ２と係合し、図３（ｂ）に示す状態となる。この状態で、固定蓋体２１に設けられている係合部材２３の鉤部２３ｂ１と可動蓋体２２の鉤部２２ｄとを係合させるように、図３（ｂ）（図１（ｂ）も参照）に示す矢印Ｐ５方向に、ヒンジ２４を基軸として、可動蓋体２２を回動させれば、固定蓋体２１に設けられている係合部材２３の鉤部２３ｂ１と可動蓋体２２の鉤部２２ｄとが係合し、もって、図３（ａ）（図１（ａ）も参照）に示すように、固定蓋体２１の上端縁部２１ａと可動蓋体２２の下端縁部２２ａとが密着することとなる。これにより、眼鏡ケース本体１０内の空間Ｓが可動蓋体２２によって密閉されることとなり、もって、眼鏡ケース本体１０を蓋体２０によって閉止できることとなる。それゆえ、眼鏡ケース本体１０内の空間Ｓ内に眼鏡Ｇを縦置きした後、その縦置きした状態のままで、眼鏡ケース本体１０内の空間Ｓ内に眼鏡Ｇを収納することができることとなり、もって、眼鏡Ｇを外部衝撃から守りつつ持ち運びすることが可能となる。
【００３１】
しかして、本実施形態によれば、眼鏡Ｇを収納することができる眼鏡ケース本体１０を蓋体２０によって開閉自在にカバーすることができることから、従来の眼鏡ケースと同様、眼鏡Ｇを外部衝撃から守りつつ持ち運びすることが可能となる。また、眼鏡ケース本体１０は、複数の筒体１２で構成され、入れ子式に嵌合してスライド伸縮自在となっているから、眼鏡ケース本体１０を縮ませ、眼鏡ケース本体１０内の空間Ｓを蓋体２０によって開放させれば、眼鏡Ｇを縦置きすることができることとなる。
【００３２】
しかして、本実施形態によれば、眼鏡ケースに眼鏡を収納並びに縦置きすることができると共に、その眼鏡ケースを持ち運びすることが可能となる。
【００３３】
なお、本実施形態においては、眼鏡ケース本体１０の形状が円筒状である例を示したがそれに限らず、三角筒状でも四角筒状でも、スライド伸縮できればどのような形状でも良い。また、本実施形態においては、眼鏡ケース本体１０を３つの筒体で構成する例を示したが、それに限らず、４つでも５つでも良く、２つ以上で構成されていれば特に個数は限定されない。
【００３４】
一方、蓋体２０は、固定蓋体２１と可動蓋体２２とで構成される例を示したが、それに限らず、可動蓋体２２だけで構成し、眼鏡ケース本体１０と直接接続するようにしても良い。また、ヒンジ２４を介して眼鏡ケース本体１０と蓋体２０とを取り付ける例を示したが、それに限らず、固定蓋体２１と可動蓋体２２、あるいは、眼鏡ケース本体１０と可動蓋体２２を一体的に設けても良い。
【００３５】
他方、本実施形態においては、眼鏡ケース本体１０と蓋体２０との開閉にあたって、押しボタン式の係合部材２３によって開閉できる例を示したが、それに限らず、面ファスナーや、凹凸嵌合できるボタン状のもの、あるいは、磁石による吸着等どのようなものでも良い。
【００３６】
また、本実施形態においては、眼鏡ケース本体１０と蓋体２０の材質を弾性変形可能な軟質の合成樹脂等で形成する例を示したが、それに限らず、硬質の合成樹脂、金属製、木製等、弾性変形可能でなくても良く、特に材質は限定されない。弾性変形可能でない材質を使用する場合は、押しボタン式の係合部材２３ではなく、面ファスナーや、凹凸嵌合できるボタン状のもの、あるいは、磁石による吸着等を用いるなどして、眼鏡ケース本体１０が弾性変形しなくても、蓋体２０による眼鏡ケース本体１０の開閉ができるように設計変更すれば良い。
【００３７】
かくして、本実施形態において示した眼鏡ケース本体１０と蓋体２０とはあくまで一例であり、特許請求の範囲に記載された本発明の要旨の範囲内において、種々の変形・変更が可能である。
【符号の説明】
【００３８】
１              眼鏡ケース
１０            眼鏡ケース本体
１２            筒体
１２ｂ３        規制部材
２０            蓋体
Ｇ              眼鏡
Ｓ              空間
【図１】
2016140475.tif 000003
【図２】
2016140475.tif 000004
【図３】
2016140475.tif 000005
【図４】
2016140475.tif 000006